(57)【要約】【課題】１台のコンピュータからの画像データに基づく画像の複数モニター表示を、コンピュータに画像表示処理部を複数個組み込むことなく行えるものとする。【解決手段】複数のモニター１２（１）  〜１２（Ｎ）  の各々が、第１，第２の入出力部４０；４１，固有の識別データ及び画像データを格納するメモリ部４２；４４，画像表示部４６を備え、第２の入出力部に他のモニターが接続されたとき、第１の入出力部を通じて供給されるデータを、第２の入出力部を通じて他のモニターに供給するものとされ、一つのモニターに第１の入出力部を通じてコンピュータ１１の画像表示処理部２６からの画像データが供給されるもとで、各モニターが、第１の入出力部を通じて供給される画像データに付加された識別データが固有の識別データに一致もしくは対応するとき、当該画像データをメモリ部に取り込んで画像表示部による画像表示に供する。【選択図】        図２
2004333522.tif 000002
【特許請求の範囲】
【請求項１】
識別データが付加された画像データを送出する画像表示処理部を備えたコンピュータと、上記画像表示処理部から送出される画像データに基づく画像表示を行う複数のモニターとを含み、
上記複数のモニターの各々が、第１及び第２の入出力部，割り当てられた固有の識別データ及び画像データを格納するメモリ部、及び、画像表示部を備え、上記第２の入出力部に上記複数のモニターのうちの他のものが接続されたとき、上記第１の入出力部を通じて供給されるデータを、上記第２の入出力部を通じさらに上記他のものの第１の入出力部を通じて該他のものに供給するものとされ、上記複数のモニターのうちの一つに該一つの第１の入出力部を通じて上記コンピュータの画像表示処理部から送出される画像データが供給されるもとで、上記複数のモニターの夫々が、第１の入出力部を通じて供給される画像データに付加された識別データが上記メモリ部に格納された固有の識別データに一致もしくは対応するものであるとき、当該画像データを上記メモリ部に取り込んで上記画像表示部による画像表示に供することを特徴とする画像表示装置。
【請求項２】
上記複数のモニターの各々が備えるメモリ部が、上記割り当てられた固有の識別データを格納する第１のメモリと上記画像データを格納する第２のメモリとから成ることを特徴とする請求項１記載の画像表示装置。
【請求項３】
上記複数のモニターが、上記一つとは別の他の一つ以外の各モニターの第２の入出力部に他のモニターの第１の入出力部が接続され、上記他の一つに割り当てられた固有の識別データが特定の番号をあらわすものとされるとともに、上記他の一つ以外のモニターの夫々に割り当てられた固有の識別データが上記特定の番号から順次変化していく番号をあらわすものとされることを特徴とする請求項１記載の画像表示装置。
【請求項４】
上記コンピュータが備える画像表示処理部が、上記複数のモニターから該複数のモニターに夫々割り当てられた複数の固有の識別データを受け取り、該複数の固有の識別データに一致もしくは対応する複数の識別データを複数種の画像データに夫々付加するとともに、画像データとそれに付加される識別データとの組合せを選択設定することができるものとされることを特徴とする請求項１記載の画像表示装置。
【請求項５】
上記コンピュータが、上記画像表示処理部による画像データとそれに付加される識別データとの組合せの選択設定にあたり、上記複数種の画像データの夫々があらわす画像と上記複数の固有の識別データの夫々があらわす画像とを区分表示し、区分表示された画像を利用して上記画像表示処理部に上記選択設定を行わせることができるものとされることを特徴とする請求項２記載の画像表示装置。
【発明の詳細な説明】
【０００１】
【発明の属する技術分野】
本願の特許請求の範囲に記載された発明は、コンピュータから送出される画像データに基づく画像を、複数のモニターの夫々において、互いに関連するものとして、あるいは、互いに独立したものとして表示する画像表示装置に関する。
【０００２】
【従来の技術】
コンピュータの普及に伴い、種々様々な分野においてコンピュータの活用が図られている。例えば、商業的営業活動，学術論文の発表，各種のシンポジウム等々の場におけるプレゼンテーションにおけるパーソナル・コンピュータの利用は極めて盛んである。こうしたプレゼンテーションにコンピュータが利用される場合等においては、１台のコンピュータから送出される画像データに基づく画像が、コンピュータから離れた位置に配された複数のモニターにおいて表示されるようになすことがしばしば望まれる。
【０００３】
従来、１台のコンピュータから送出される画像データに基づく画像が、コンピュータから離れた位置に配された複数のモニターにおいて表示されるようになすにあたっては、例えば、図５に示される如く、コンピュータ１を、各々が画像表示処理部を形成する二つのグラフィックカード２及び３が組み込まれたものとし、グラフィックカード２及び３から夫々送出される画像データＤＤＡ及びＤＤＢを二つのモニター４及び５に供給し、モニター４において画像データＤＤＡに基づく画像を表示するとともに、モニター５において画像データＤＤＢに基づく画像を表示するようになすことが知られている。
【０００４】
また、マルチウインドウ表示を行うコンピュータを、メインモニターと複数のサブモニターとを接続することが可能とされるインターフェースを有するものとし、インターフェースに接続されたメインモニターとサブモニターとの夫々において画像表示をするようにされたマルチモニターシステムも提案されている（例えば、特許文献１参照。）。
【０００５】
この既に提案されているマルチモニターシステムにあっては、ウインドウ表示用の画像データが、それに基づくウインドウ画像が指定されたサブモニターにおいて表示されるようにするための識別データと関連付けて記憶部に登録された状態に置かれ、指定されたサブモニターがインターフェースに接続されたか否かを検出すべく備えられたモニター検出部から、指定されたサブモニターがインターフェースに接続されたことをあらわす検出結果が得られたとき、指定されたサブモニターに対応する識別データに関連付けられた画像データの検索が行われ、検索された画像データが指定されたサブモニターに送出されて、その指定されたサブモニターにおいてウインドウ画像が表示されることになる。
【０００６】
斯かる際における検索された画像データの指定されたサブモニターへの送出は、コンピュータに備えられたディスプレイコントローラによって行われるが、このディスプレイコントローラは、メインモニター及びサブモニターにおける各種の表示を制御する役割を果たすものであって、そのため複数のグラフィックカード（グラフィックアダプタ）が実装されて構成される。即ち、上述のマルチモニターシステムにあっても、コンピュータに各々が画像表示処理部を形成する複数のグラフィックカードが組み込まれることが必要とされるのである。
【０００７】
【特許文献１】
特開昭２００２−２６８８６８号公報（第４頁、図１）
【０００８】
【発明が解決しようとする課題】
１台のコンピュータから送出される画像データに基づく画像が、コンピュータから離れた位置に配された複数のモニターにおいて表示されるようになすにあたり、上述のようにコンピュータに各々が画像表示処理部を形成する複数のグラフィックカードが組み込まれるもとにあっては、単価が決して安価でないグラフィックカードを複数揃えるために要される費用が高額となり、出費が嵩むことになってしまう。
【０００９】
また、コンピュータから送出される画像データのうちの選択されたものを、複数のモニターのうちの選択されたものに供給してその画像データに基づく画像が表示されるようにするに際しては、限られたタイミングにおいて複雑な操作をすることが要求されることになるという問題もある。
【００１０】
斯かる点に鑑み、本願の特許請求の範囲に記載された発明は、１台のコンピュータから送出される画像データに基づく画像についてのコンピュータから離れた位置に配された複数のモニターによる表示を、コンピュータに、例えば、グラフィックカード等と称される画像表示処理部を複数個組み込むことを要することなく行うことができ、また、極めて容易な操作によって、コンピュータから送出される画像データのうちの選択されたものを、複数のモニターのうちの選択されたものに供給してその画像データに基づく画像が表示されるようにすることができる画像表示装置を提供する。
【００１１】
【課題を解決するための手段】
本願の特許請求の範囲における請求項１から請求項５までのいずれかに記載された発明に係る画像表示装置は、識別データが付加された画像データを送出する画像表示処理部を備えたコンピュータと、画像表示処理部から送出される画像データに基づく画像表示を行う複数のモニターとを含んで構成される。複数のモニターの各々は、第１及び第２の入出力部，割り当てられた固有の識別データ及び画像データを格納するメモリ部、及び、画像表示部を備え、第２の入出力部に複数のモニターのうちの他のものが接続されたとき、第１の入出力部を通じて供給されるデータを、第２の入出力部を通じさらに他のものの第１の入出力部を通じて当該他のものに供給するものとされる。そして、複数のモニターのうちの一つにその第１の入出力部を通じてコンピュータの画像表示処理部から送出される画像データが供給されるもとで、複数のモニターの夫々は、第１の入出力部を通じて供給される画像データに付加された識別データがメモリ部に格納された固有の識別データに一致もしくは対応するものであるとき、その画像データをメモリ部に取り込んで画像表示部による画像表示に供する動作を行う。
【００１２】
上述の如くに構成される本願の特許請求の範囲における請求項１から請求項５までのいずれかに記載された発明に係る画像表示装置にあっては、複数のモニターの個数を１番目からＮ番目（Ｎは２以上の正整数）までのＮ個とすると、Ｎ番目のモニターの第２の入出力部には他のモニターが接続されないが、１番目のモニターの第２の入出力部には２番目のモニターの第１の入出力部が接続され、２番目のモニターの第２の入出力部には３番目のモニターの第１の入出力部が接続され、・・・・・、というようにして、１番目からＮ−１番目までの各モニターの第２の入出力部には他のモニターの第１の入出力部が接続される。そして、１番目からＮ−１番目までの各モニターは、第１の入出力部を通じて供給されるデータを第２の入出力部を通じ、さらに、その第２の入出力部に接続された他のモニターの第１の入出力部を通じて、当該他のモニターに供給する。それにより、１番目のモニターにその第１の入出力部を通じて供給されたデータは、２番目からＮ番目までのＮー１個のモニターの夫々にも、その第１の入出力部を通じて順次供給される。
【００１３】
こうしたもとで、コンピュータが備える画像表示処理部から送出される識別データが付加された画像データが、１番目のモニターにその第１の入出力部を通じて供給され、それにより、当該画像データは、１番目からＮ番目までのＮ個のモニターの夫々にその第１の入出力部を通じて供給されることになる。そして、１番目からＮ番目までのＮ個のモニターの夫々は、第１の入出力部を通じて供給される、コンピュータが備える画像表示処理部から送出された画像データを、第２の入出力部を通じて他のモニターに供給するとともに、その画像データに付加されている識別データと内蔵するメモリ部に格納された固有の識別データとを比較して、画像データに付加されている識別データが、固有の識別データに一致するもの、もしくは、固有の識別データに対応するものであるとき、当該画像データを内蔵するメモリ部に取り込み、その画像データに基づく画像を画像表示部によって表示する。
【００１４】
従って、本願の特許請求の範囲における請求項１から請求項５までのいずれかに記載された発明に係る画像表示装置によれば、１台のコンピュータから送出される画像データに基づく画像についてのコンピュータから離れた位置に配された複数のモニターによる表示を、コンピュータに複数の画像表示処理部を組み込むことを要することなく行うことができる。
【００１５】
また、特に、本願の特許請求の範囲における請求項５に記載された発明に係る画像表示装置にあっては、コンピュータが、それが備える画像表示処理部が複数のモニターからそれらに夫々割り当てられた複数の固有の識別データを受け取り、それらに一致もしくは対応する複数の識別データを複数種の画像データに夫々付加するとともに、画像データとそれに付加される識別データとの組合せを選択設定することができるものとされるもとで、画像表示処理部による画像データと識別データとの組合せの選択設定にあたり、複数種の画像データの夫々があらわす画像と複数の固有の識別データの夫々があらわす画像とを区分表示し、区分表示された画像を利用して画像表示処理部に選択設定を行わせることができるものとされる。
【００１６】
それにより、本願の特許請求の範囲における請求項５に記載された発明に係る画像表示装置によれば、例えば、区分表示された画像をマウスポインターにより選択してドラッグ・アンド・ドロップを行うだけの、極めて容易な操作によって、選択された画像データを選択された固有の識別データに一致もしくは対応する識別データが付加されたものとすることができ、その結果、コンピュータから送出される画像データのうちの選択されたものを、複数のモニターのうちの選択されたものに供給してその画像データに基づく画像が表示されるようにできることになる。
【００１７】
【発明の実施の形態】
図１は、本願の特許請求の範囲における請求項１から請求項５までのいずれかに記載された発明に係る画像表示装置の一例についての基本構成を示す。
【００１８】
図１に示される基本構成にあっては、１台のコンピュータ１１に対して、１番目からＮ番目までのＮ個のモニター１２（１）  ，１２（２）  ，１２（３）  ，・・・・・，１２（Ｎ−１）  ，１２（Ｎ）  が配され、モニター１２（１）  〜１２（Ｎ）  は、コンユータ１１に順次連結される。コンピュータ１１からは画像データＤＩが送出され、この画像データＤＩは、１番目のモニター１２（１）  からＮ番目のモニター１２（Ｎ）  までの夫々に供給され、モニター１２（１）  〜１２（Ｎ）  の各々において、画像データＤＩに基づく画像が、モニター１２（１）  〜１２（Ｎ）  のうちの他のものにおける画像と関連するものとして、あるいは、モニター１２（１）  〜１２（Ｎ）  のうちの他のものにおける画像に関わらない独立したものとして表示される。
【００１９】
図２は、図１に示される基本構成を有するものとされた、本願の特許請求の範囲における請求項１から請求項５までのいずれかに記載された発明に係る画像表示装置の一例の詳細構成を示す。
【００２０】
図２に示される詳細構成にあっては、コンピュータ１１が、共通データバス２０に、キーボード及びマウス等とされる入力操作部２１，ＣＰＵ（中央演算処理ユニット）２２，メモリ部２３，表示制御部２４，大容量メモリの役割を果たすＨＤＤ（ハード・ディスク・ドライブ）２５、及び、グラフィックカード等と称される画像表示処理部２６が連結され、さらに、表示制御部２４に画像表示部２７が接続されて構成されている。
【００２１】
画像表示処理部２６は、画像データを形成して送出する画像データ形成部３０，画像データ形成部３０からの画像データに識別データ（ＩＤデータ）を付加するＩＤデータ付加部３１，外部からのＩＤデータについての処理を行うＩＤデータ処理部３２，外部へのデータの導出及び外部からのデータの導入を行う入出力部３３及び動作制御部３４を備えて構成されている。動作制御部３４は、画像データ形成部３０，ＩＤデータ付加部３１及びＩＤデータ処理部３２等についての動作制御を行う。
【００２２】
一方、Ｎ個のモニター１２（１）  〜１２（Ｎ）  のうちの１番目のモニター１２（１）  は、第１の入出力部４０，第２の入出力部４１，ＩＤデータを格納するメモリ４２，ＩＤデータの判別を行うＩＤデータ判別部４３，画像データを格納するメモリ４４，画像データに基づく画像を表示する画像表示部４５及び動作制御部４６を備えて構成されている。ＩＤデータを格納するメモリ４２と画像データを格納するメモリ４４とは、両者で１番目のモニター１２（１）  におけるメモリ部を形成している。動作制御部４６は、メモリ４２，ＩＤデータ判別部４３，メモリ４４及び画像表示部４５等についての動作制御を行う。
【００２３】
Ｎ個のモニター１２（１）  〜１２（Ｎ）  のうちの２番目のモニター１２（２）  からＮ番目のモニター１２（Ｎ）  の夫々も、１番目のモニター１２（１）  と全く同様に構成されたものとされる。そして、１番目のモニター１２（１）  の第２の入出力部４１に２番目のモニター１２（２）  の第１の入出力部４０が接続され、２番目のモニター１２（２）  の第２の入出力部４１に３番目のモニター１２（３）  の第１の入出力部４０が接続され、・・・・・、Ｎー１番目のモニター１２（Ｎ−１）  の第２の入出力部４１にＮ番目のモニター１２（Ｎ）  の第１の入出力部４０が接続されるというようにして、１番目のモニター１２（１）  からＮ番目のモニター１２（Ｎ）  までが順次連結される。そして、Ｎ番目のモニター１２（Ｎ）  の第２の入出力部４１には、他のモニターの接続はなされない。
【００２４】
このようなもとで、Ｎ個のモニター１２（１）  〜１２（Ｎ）  は、先ず、各々に割り振られる固有のＩＤデータのメモリ４２への格納と第１の入出力部４０を通じての送出を行う。その際には、例えば、第２の入出力部４１に他のモニターが接続されないＮ番目のモニター１２（Ｎ）  が、それにおける動作制御部４６による動作制御のもとに、自らについての固有のＩＤデータＤｉｎ  を、所定の番号、例えば、ｎ（ｎは正整数）をあらわすものとして設定し、それをモニター１２（Ｎ）  に割り当てられたものとしてメモリ４２に格納するとともに、その固有のＩＤデータＤｉｎ  を、第１の入出力部４０を通じて、Ｎー１番目のモニター１２（Ｎー１）にその第２の入出力部４１を通じて供給する。
【００２５】
Ｎ番目のモニター１２（Ｎ）  からの固有のＩＤデータＤｉｎ  が供給されたＮー１番目のモニター１２（Ｎー１）は、それにおける動作制御部４６による動作制御のもとに、番号ｎより１だけ小なる番号ｎー１をあらわす固有のＩＤデータＤｉ（ｎ−１）  を設定して、それをモニター１２（Ｎー１）に割り当てられたものとしてメモリ４２に格納するとともに、その固有のＩＤデータＤｉ（ｎ−１）  とＮ番目のモニター１２（Ｎ）  からの固有のＩＤデータＤｉｎ  とを、第１の入出力部４０を通じて、Ｎー２番目のモニター１２（Ｎー２）にその第２の入出力部４１を通じて供給する。
【００２６】
Ｎー２番目のモニター１２（Ｎー２）から３番目のモニター１２（３）までの各々が、Ｎー１番目のモニター１２（Ｎー１）と同様の動作を順次行っていき、２番目のモニター１２（２）には、その第２の入出力部４１を通じて、固有のＩＤデータＤｉ３〜Ｄｉｎ  が供給される。２番目のモニター１２（２）は、それにおける動作制御部４６による動作制御のもとに、番号２をあらわす固有のＩＤデータＤｉ２  を設定して、それをモニター１２（２）に割り当てられたものとしてメモリ４２に格納するとともに、その固有のＩＤデータＤｉ２  とＮ番目のモニター１２（Ｎ）  から３番目のモニター１２（３）  までの夫々からの固有のＩＤデータＤｉ３〜Ｄｉｎ  、即ち、固有のＩＤデータＤｉ２  〜Ｄｉｎ  を、第１の入出力部４０を通じて、１番目のモニター１２（１）  にその第２の入出力部４１を通じて供給する。
【００２７】
そして、１番目のモニター１２（１）  は、それにおける動作制御部４６による動作制御のもとに、番号１をあらわす固有のＩＤデータＤｉ１  を設定して、それをモニター１２（１）  に割り当てられたものとしてメモリ４２に格納するとともに、その固有のＩＤデータＤｉ１  とＮ番目のモニター１２（Ｎ）  から２番目のモニター１２（２）  までの夫々からの固有のＩＤデータＤｉ２  〜Ｄｉｎ  、即ち、固有のＩＤデータＤｉ１  〜Ｄｉｎ  を、第１の入出力部４０を通じて、コンピュータ１１における画像表示処理部２６にその入出力部３３を通じて供給する。
【００２８】
その結果、Ｎ個のモニター１２（１）〜１２（Ｎ）の夫々のメモリ４２に、モニター１２（１）に割り当てられた固有のＩＤデータＤｉ１  （番号１をあらわす）からモニター１２（Ｎ）に割り当てられた固有のＩＤデータＤｉｎ  （番号ｎをあらわす）までが夫々格納される。
【００２９】
また、固有のＩＤデータＤｉ１  〜Ｄｉｎ  が入出力部３３を通じて供給されるコンピュータ１１における画像表示処理部２６においては、固有のＩＤデータＤｉ１  〜Ｄｉｎ  がＩＤデータ処理部３２に供給される。ＩＤデータ処理部３２は、固有のＩＤデータＤｉ１  〜Ｄｉｎ  に夫々一致するもの、もしくは、固有のＩＤデータＤｉ１  〜Ｄｉｎ  に夫々対応するものとされるＮ個のＩＤデータＩＤ（１）  〜ＩＤ（Ｎ）  を形成する。
【００３０】
そして、画像表示処理部２６は、入出力部３３を通じて画像データＤＩを送出するにあたり、動作制御部３４による動作制御のもとに、画像データ形成部３０に複数種の、例えば、映像信号におけるフレーム期間分を単位とする区分画像データを送出する状態をとらせ、さらに、ＩＤデータ付加部３１に、画像データ形成部３０から送出される複数種の区分画像データの夫々の先頭に、ＩＤデータ処理部３２により形成されたＩＤデータＩＤ（１）  〜ＩＤ（Ｎ）  のうちから選択されたものを付加する状態をとらせる。それにより、ＩＤデータ付加部３１から、例えば、図３に示される如くの、区分画像データｍ，ｍ＋１，ｍ＋２，ｍ＋３，ｍ＋４，・・・・・が、各々の先頭にＩＤデータ（ＩＤデータＩＤ（１）  〜ＩＤ（Ｎ）  のうちから選択されたもの）が付加されて、順次連なるものとされて形成される画像データＤＩが得られる。
【００３１】
このようにして、画像表示処理部２６に備えられたＩＤデータ付加部３１において複数種の区分画像データの夫々にＩＤデータＩＤ（１）  〜ＩＤ（Ｎ）  のうちから選択されたものが付加されるにあたっては、区分画像データとそれに付加されるＩＤデータＩＤ（１）  〜ＩＤ（Ｎ）  のうちから選択されたものとの組合せを選択設定することができるものとされる。斯かる選択設定は、例えば、以下のような操作によって行うことができるようにされる。
【００３２】
コンピュータ１１において、画像表示処理部２６から各種データが共通データバス２０に送り出され、それにより、画像表示部２７において、例えば、図４に示される如くのメニュー画面が表示される。このメニュー画面におけるメニュー部には、画像表示処理部２６における画像データ形成部３０から送出される複数種の区分画像データが夫々あらわす画像が縮小画像Ａ，Ｂ，Ｃ，・・・・・，Ｒ，・・・  として区分表示されるとともに、ＩＤデータＩＤ（１）  〜ＩＤ（Ｎ）  に夫々対応する、従って、Ｎ個のモニター１２（１）〜１２（Ｎ）に夫々対応することになる画像ＩＤ：１，ＩＤ：２，ＩＤ：３，ＩＤ：４，・・・・・，ＩＤ：Ｎが区分表示される。
【００３３】
そして、このようなメニュー画面上において、例えば、コンピュータ１１の入力操作部２１を構成するマウスの操作に応じて移動するマウスポインタによって、区分表示された縮小画像Ａ，Ｂ，Ｃ，・・・・・，Ｒ，・・・  のうちの一つを選択し、ドラッグして区分表示された画像ＩＤ：１，ＩＤ：２，ＩＤ：３，ＩＤ：４，・・・・・，ＩＤ：Ｎのうちの選択されたものにドロップするドラッグ・アンド・ドロップを行うことによって、区分画像データとそれに付加されるＩＤデータＩＤ（１）  〜ＩＤ（Ｎ）  のうちから選択されたものとの組合せの選択設定がなされる。即ち、極めて簡単な操作である上述のドラッグ・アンド・ドロップが行われることにより、画像表示処理部２６に備えられたＩＤデータ付加部３１において、選択された縮小画像Ａ，Ｂ，Ｃ，・・・・・，Ｒ，・・・  のうちの一つに対応する区分画像データに、選択された画像ＩＤ：１，ＩＤ：２，ＩＤ：３，ＩＤ：４，・・・・・，ＩＤ：Ｎのうちの一つに対応するＩＤデータＩＤ（１）  〜ＩＤ（Ｎ）  のうちの一つが付加され、斯かる区分画像データを含んだ画像データＤＩが形成されるのである。
【００３４】
画像表示処理部２６に備えられたＩＤデータ付加部３１から送出される画像データＤＩは、画像表示処理部２６における入出力部３３を通じて、１番目のモニター１２（１）  にその第１の入出力部４０を通じて供給される。１番目のモニター１２（１）  に供給された画像データＤＩは、１番目のモニター１２（１）  の第１の入出力部４０を通じて、２番目のモニター１２（２）  にその第１の入出力部４０を通じて供給される。２番目のモニター１２（２）  からＮ−１番目のモニター１２（Ｎ−１）  までの夫々においても、第１の入出力部４０を通じて供給された画像データＤＩが第２の入出力部４１を通じて次のモニターに供給され、その結果、画像表示処理部２６に備えられたＩＤデータ付加部３１から送出される画像データＤＩが、Ｎ個のモニター１２（１）  〜１２（Ｎ）  の全てに供給される。
【００３５】
１番目のモニター１２（１）  においては、その第１の入出力部４０を通じて供給される画像データＤＩが、ＩＤデータ判別部４３及びメモリ４４に供給される。そして、動作制御部４６が、メモリ４２からそれに格納された固有のＩＤデータＤｉ１  を読み出して、それをＩＤデータ判別部４３に供給する。ＩＤデータ判別部４３は、画像データＤＩを形成する一連の区分画像データの各々に付加されたＩＤデータＩＤ（１）  〜ＩＤ（Ｎ）  のうちのいずれかと、メモリ４２に格納された固有のＩＤデータＤｉ１  との比較を行い、その比較の結果をあらわすＩＤ判別出力ＤＸを動作制御部４６に供給する。
【００３６】
動作制御部４６は、ＩＤデータ判別部４３からのＩＤ判別出力ＤＸが、固有のＩＤデータＤｉ１  に一致もしくは対応するＩＤデータＩＤ（１）  が付加された区分画像データが到来したことをあらわすとき、そのときメモリ４４に供給される画像データＤＩを形成しているＩＤデータＩＤ（１）  が付加された区分画像データをメモリ４４に取り込んで格納する。即ち、第１の入出力部４０を通じて供給される画像データＤＩを形成する区分画像データのうちの、固有のＩＤデータＤｉ１  に一致もしくは対応するＩＤデータＩＤ（１）  が付加されたものについての、メモリ４４への格納が行われるのである。
【００３７】
その後、１番目のモニター１２（１）  における動作制御部４６は、メモリ４４に格納された区分画像データが、メモリ４４から読み出されて、画像表示部４５に供給されるようになし、画像表示部４５において、メモリ４４から読み出された区分画像データに基づく画像が表示される状態とする。それにより、第１の入出力部４０を通じて供給される画像データＤＩを形成する区分画像データのうちの、固有のＩＤデータＤｉ１  に一致もしくは対応するＩＤデータＩＤ（１）  が付加されたものに基づく画像が、画像表示部４５によって表示されることになる。
【００３８】
なお、メモリ４４に格納された区分画像データの読出し、及び、読み出された区分画像データの画像表示部４５への供給は、必要に応じて繰り返され、継続的に行われる。
【００３９】
１番目のモニター１２（１）  に続く２番目のモニター１２（２）  からＮ番目のモニター１２（Ｎ）  までの夫々においても、１番目のモニター１２（１）  の場合と同様に、ＩＤデータ判別部４３における画像データＤＩを形成する一連の区分画像データの各々に付加されたＩＤデータＩＤ（１）  〜ＩＤ（Ｎ）  のうちのいずれかと、メモリ４２に格納された固有のＩＤデータＤｉ２  〜Ｄｉｎ  のうちのいずれかとの比較、さらには、動作制御部４６による、ＩＤデータ判別部４３からのＩＤ判別出力ＤＸに応じたＩＤデータＩＤ（１）  〜ＩＤ（Ｎ）  のうちのいずれかが付加された区分画像データのメモリ４４への取込みによる格納、及び、メモリ４４に格納された区分画像データのメモリ４４からの読出しと画像表示部４５への供給とが行われる。その結果、２番目のモニター１２（２）  からＮ番目のモニター１２（Ｎ）  までの夫々において、第１の入出力部４０を通じて供給される画像データＤＩを形成する区分画像データのうちの、固有のＩＤデータＤｉ２  〜Ｄｉｎ  のうちのいずれかに一致もしくは対応するＩＤデータＩＤ（２）  〜ＩＤ（ｎ）  のうちのいずれかが付加されたものに基づく画像が、画像表示部４５によって表示されることになる。
【００４０】
従って、例えば、前述のように、極めて簡単な操作である表示画面上のドラッグ・アンド・ドロップが行われることにより、画像表示処理部２６に備えられたＩＤデータ付加部３１において、選択された縮小画像Ａ，Ｂ，Ｃ，・・・・・，Ｒ，・・・  のうちの一つに対応する区分画像データに、選択された画像ＩＤ：１，ＩＤ：２，ＩＤ：３，ＩＤ：４，・・・・・，ＩＤ：Ｎのうちの一つに対応するＩＤデータＩＤ（１）  〜ＩＤ（Ｎ）  のうちの一つが付加されて得られる、ＩＤデータが付加された区分画像データは、それに基づく画像が、付加されたＩＤデータＩＤ（１）  〜ＩＤ（Ｎ）  のうちの一つが一致もしくは対応する固有のＩＤデータＤｉ１〜Ｄｉｎのうちの一つがメモリ４２に格納されたモニター１２（１）  〜１２（Ｎ）  のうちのいずれかによって表示される。
【００４１】
【発明の効果】
以上の説明から明らかな如く、本願の特許請求の範囲における請求項１から請求項５までのいずれかに記載された発明に係る画像表示装置にあっては、複数のモニターの個数を１番目からＮ番目までのＮ個とすると、コンピュータが備える画像表示処理部から送出される識別データが付加された画像データが、１番目のモニターにその第１の入出力部を通じて供給され、それにより、当該画像データは、１番目からＮ番目までのＮ個のモニターの夫々にその第１の入出力部を通じて供給されることになる。そして、１番目からＮ番目までのＮ個のモニターの夫々は、第１の入出力部を通じて供給される、コンピュータが備える画像表示処理部から送出された画像データを、第２の入出力部を通じて他のモニターに供給するとともに、その画像データに付加されている識別データと内蔵するメモリ部に格納された固有の識別データとを比較して、画像データに付加されている識別データが、固有の識別データに一致するもの、もしくは、固有の識別データに対応するものであるとき、当該画像データを内蔵するメモリ部に取り込み、その画像データに基づく画像を画像表示部によって表示する。
【００４２】
従って、本願の特許請求の範囲における請求項１から請求項５までのいずれかに記載された発明に係る画像表示装置によれば、１台のコンピュータから送出される画像データに基づく画像についてのコンピュータから離れた位置に配された複数のモニターによる表示を、コンピュータに複数の画像表示処理部を組み込むことを要することなく行うことができる。その結果、複数の画像表示処理部を取り揃えるための費用が不要とされ、出費の低減が図られることになる。
【００４３】
また、特に、本願の特許請求の範囲における請求項５に記載された発明に係る画像表示装置にあっては、コンピュータが、それが備える画像表示処理部が複数のモニターからそれらに夫々割り当てられた複数の固有の識別データを受け取り、それらに一致もしくは対応する複数の識別データを複数種の画像データに夫々付加するとともに、画像データとそれに付加される識別データとの組合せを選択設定することができるものとされるもとで、画像表示処理部による画像データと識別データとの組合せの選択設定にあたり、複数種の画像データの夫々があらわす画像と複数の固有の識別データの夫々があらわす画像とを区分表示し、区分表示された画像を利用して画像表示処理部に選択設定を行わせることができるものとされる。
【００４４】
それにより、本願の特許請求の範囲における請求項５に記載された発明に係る画像表示装置によれば、例えば、区分表示された画像をマウスポインターにより選択してドラッグ・アンド・ドロップを行うだけの、極めて容易な操作によって、選択された画像データを選択された固有の識別データに一致もしくは対応する識別データが付加されたものとすることができ、その結果、コンピュータから送出される画像データのうちの選択されたものを、複数のモニターのうちの選択されたものに供給してその画像データに基づく画像が表示されるようになすことができる。
【図面の簡単な説明】
【図１】本願の特許請求の範囲における請求項１から請求項５までのいずれかに記載された発明に係る画像表示置の一例の基本構成を示すブロック接続図である。
【図２】図１に示される基本構成をとる本願の特許請求の範囲における請求項１から請求項５までのいずれかに記載された発明に係る画像表示置の一例の詳細構成を示すブロック接続図である。
【図３】図２に示される詳細構成をとる画像表示置の一例の動作説明に供されるデータフォーマットをあらわす概念図である。
【図４】図２に示される詳細構成をとる画像表示置の一例についての操作の説明に供される概念図である。
【図５】従来の画像表示装置の説明に供されるブロック接続図である。
【符号の説明】
１１・・・コンピュータ，  １２（１）  ・・・１番目のモニター，  １２（２）  ・・・２番目のモニター，  １２（３）  ・・・３番目のモニター，  １２（Ｎ−１）  ・・・Ｎ−１番目のモニター，  １２（Ｎ）  ・・・Ｎ番目のモニター，  ２０・・・共通データバス，  ２１・・・入力操作部，  ２２・・・ＣＰＵ，  ２３・・・メモリ部，  ２４・・・表示制御部，  ２５・・・ＨＤＤ，  ２６・・・画像表示処理部，  ２７，４５・・・画像表示部，  ３０・・・画像データ形成部，  ３１・・・ＩＤデータ付加部，  ３２・・・ＩＤデータ処理部，  ３３・・・入出力部，  ３４，４６・・・動作制御部，  ４０・・・第１の入出力部，  ４１・・・第２の入出力部，  ４２，４４・・・メモリ，  ４３・・・ＩＤデータ判別部
【図１】
2004333522.tif 000003
【図２】
2004333522.tif 000004
【図３】
2004333522.tif 000005
【図４】
2004333522.tif 000006
【図５】
2004333522.tif 000007